(57)【要約】【課題】本発明は、外障子の第１ガラスと、内障子の第２ガラスとの対向する空気層側の面に、結露や埃が付着した場合、室内側から外障子に支持された内障子を開けることにより、それぞれの空気層側の面を掃除できることを課題とする。【解決手段】窓枠２に、障子３が室外側に向けて開閉自在に設けられ、前記障子は、第１ガラス１２を有する外障子１０と、第２ガラス２５を有する内障子１１とからなり、前記第１ガラスと第２ガラスとの間に、断熱のための空気層２９が形成され、前記外障子と前記内障子とは一体的に開閉自在で、且つ、前記障子を開放した際に、前記内障子は、前記第２ガラスの空気層側の面２５ａが室内側を向くように、外障子に開閉自在に設けられている。【選択図】図１
2008057222.tif 000002
【特許請求の範囲】
【請求項１】
窓枠に、障子が室外側に向けて開閉自在に設けられた開閉二重窓において、前記障子は、第１ガラスを有する外障子と、第２ガラスを有する内障子とからなり、前記第１ガラスと第２ガラスとの間に、断熱のための空気層が形成され、前記外障子と前記内障子とは一体的に開閉自在で、且つ、前記障子を開放した際に、前記内障子は、前記第２ガラスの空気層側の面が室内側を向くように、前記外障子に開閉自在に設けられたことを特徴とする開閉二重窓。
【請求項２】
前記外障子の第１ガラスを保持する框内に、前記内障子の第２ガラスを保持する框が収納される構成である請求項１に記載の開閉二重窓。
【請求項３】
前記外障子は、すべり出し丁番により前記窓枠に連結され、しかも、前記内障子は、すべり出し丁番により前記外障子に連結されている請求項１または２に記載の開閉二重窓。
【請求項４】
前記第１ガラスは、シール材で前記框側に接着されるとともに、前記第２ガラスは、シール材で前記框側に接着され、前記第１ガラスと前記第２ガラスとの間には、スペーサが介在され、前記内障子の框が室外側から前記窓枠に支持される請求項２または３に記載の開閉二重窓。
【請求項５】
前記外障子の各框と前記内障子の各框との間には、前記内障子を前記外障子に収納した際に前記外障子の各框と前記内障子の各框とが接触するのを防止する気密材が介在されている請求項２〜４の何れかに記載の開閉二重窓。
【請求項６】
窓枠に、障子が室外側に向けて開閉自在に設けられた開閉二重窓において、前記障子は、外障子と内障子とを備え、前記外障子の第１ガラスを保持する框内に、前記内障子の第２ガラスを保持する框が収納され、前記第１ガラスと第２ガラスとの間に、断熱のための空気層が形成されるとともに、前記外障子と前記内障子とは一体的に開閉自在で、しかも、前記障子を閉じた状態で、前記内障子は、室内側に開閉自在に前記外障子に設けられたことを特徴とする開閉二重窓。
【請求項７】
前記障子を室外側に向けて開放した際に、前記内障子は、前記第２ガラスの空気層側の面が室内側を向くように、前記外障子に開閉自在に設けられた請求項６に記載の開閉二重窓。
【発明の詳細な説明】
【技術分野】
【０００１】
本発明は、障子を室外側に向けて開閉自在なすべり出し窓等の開閉二重窓に関する。
【背景技術】
【０００２】
従来のすべり出し窓は、窓枠に障子が室外（屋外）側に向けて開閉自在に設けられ、前記障子の框には、複層ガラスが、互いの間に断熱のための空気層を形成するように、所定間隔を有して設けられてなるものである（例えば、特許文献１参照）。
【０００３】
また、開閉二重窓として、窓枠に、外障子と内障子とが、丁番を介してそれぞれ設けられ、外障子と内障子とは、同じ方向（室内側）に開閉するものも周知である（例えば、特許文献２参照）。
【特許文献１】特開２００４−３０８１７１号公報
【特許文献２】特許第３１６７９２２号公報
【発明の開示】
【発明が解決しようとする課題】
【０００４】
前記特許文献１に記載のすべり出し窓の障子は、框に複層ガラスがシール材で固定されているため、複層ガラスの空気層側の面に、内部結露が発生した場合、清掃をすることができなかった。このため、障子が寿命となり障子全体を新しいものと交換しなければならなかった。
【０００５】
前記特許文献２に記載の開閉二重窓は、窓枠に、外障子と内障子とが、丁番を介して室内側に開閉する構成であるため、仮にかかる開閉窓を、屋外側に開閉する構成とした場合、内障子が邪魔になり、屋内側から外障子と内障子とのそれぞれのガラスの対向する面を掃除するのは困難である。
【０００６】
本発明は、障子が室外側に向けて開閉自在に設けられ、その障子の外障子の第１ガラスと、内障子の第２ガラスとの対向する空気層側の面に、内部結露が発生した場合や埃等が付着した場合、室内側から外障子に支持された内障子を開けることにより、それぞれの空気層側の面を掃除できることを課題とする。
【課題を解決するための手段】
【０００７】
本発明は、前記課題を解決するためになされたもので、窓枠に、障子が室外側に向けて開閉自在に設けられた開閉二重窓において、前記障子は、第１ガラスを有する外障子と、第２ガラスを有する内障子とからなり、前記第１ガラスと第２ガラスとの間に、断熱のための空気層が形成され、前記外障子と前記内障子とは一体的に開閉自在で、且つ、前記障子を開放した際に、前記内障子は、前記第２ガラスの空気層側の面が室内側を向くように、前記外障子に開閉自在に設けられたことにある。
【０００８】
前記本発明は、通常の窓開閉では、一般窓と同様の操作で内外障子が一体となって開閉する。また、第１ガラスと第２ガラスとの対向する空気層側の面を掃除する場合には、必要に応じて、内障子を開閉する。
【０００９】
本発明の前記外障子の第１ガラスを保持する框内に、前記内障子の第２ガラスを保持する框が収納される構成である。
【００１０】
前記本発明は、障子全体の見込み寸法が大きくならないようにでき、既築のサッシ窓リフォーム等において、窓枠をそのまま利用し、障子のみを交換することで、窓枠の交換が不要となり、工事費の低減も図れる。
【００１１】
本発明の前記外障子は、すべり出し丁番により前記窓枠に連結され、しかも、前記内障子は、すべり出し丁番により前記外障子に連結されている。
【００１２】
本発明の前記第１ガラスは、シール材で前記框側に接着され、前記第２ガラスは、シール材で前記框側に接着されるとともに、前記第１ガラスと前記第２ガラスとの間には、スペーサが介在され、前記内障子の框が室外側から前記窓枠に支持される。
【００１３】
前記本発明は、室外側から強風等による外圧が第１ガラスに作用しても、その外圧力は、第１ガラス、スペーサ、第２ガラス、内障子１１の各框に順次伝わり、その外圧力は、最終的には室内側窓枠で受け止めることとなる。このため、仮にガラスと框側との接着強度が低下した場合であっても、開閉二重窓は十分な強度が得られ外圧に十分耐え得るものとなる。
【００１４】
本発明の前記外障子の各框と前記内障子の各框との間には、前記内障子を前記外障子に収納した際に前記外障子の各框と前記内障子の各框とが接触するのを防止する気密材が介在されているのが好ましい。かかる場合には、外障子の各框と、内障子の各框とをアルミ等の金属製としても、外障子の各框と、内障子の各框との間には、気密材が介在されているため、外障子の各框と内障子の各框との間が断熱され、外気温度が外障子側から内障子側に伝わるのが防止できる。
【００１５】
本発明は、窓枠に、障子が室外側に向けて開閉自在に設けられた開閉二重窓において、前記障子は、外障子と内障子とを備え、前記外障子の第１ガラスを保持する框内に、前記内障子の第２ガラスを保持する框が収納され、前記第１ガラスと第２ガラスとの間に、断熱のための空気層が形成されるとともに、前記外障子と前記内障子とは一体的に開閉自在で、しかも、前記障子を閉じた状態で、前記内障子は、室内側に開閉自在に前記外障子に設けられたことにある。
【００１６】
本発明の前記障子を室外側に向けて開放した際に、前記内障子は、前記第２ガラスの空気層側の面が室内側を向くように、前記外障子に開閉自在に設けられている。
【発明の効果】
【００１７】
本発明は、外障子の第１ガラスと、内障子の第２ガラスとの対向する空気層側の面に、内部結露が発生した場合や、埃等が付着した場合、屋内側から内障子を開けることにより、各空気層側の面を容易且つ迅速に掃除できる利点がある。
【発明を実施するための最良の形態】
【００１８】
以下、本発明の実施の形態について図面を参照しながら説明する。図１〜図６は、本発明に係る第１実施形態を示し、図１は、開閉二重窓としての縦すべり出し窓の概略構成を示す斜視図、図２は同縦断面図、図３は、図２のＣ−Ｃ線断面図である。
【００１９】
縦すべり出し窓１は、例えばアルミ製の窓枠２と、この窓枠２に、その開口２ａを開閉すべく設けられた障子３とを備えている。図１において、Ａ方向が屋外（室外）、Ｂ方向が屋内（室内）側を表している。
【００２０】
窓枠２は、室内側窓枠５と室外側窓枠７とから矩形に形成され、建物開口部に適宜取り付けられる。室内側窓枠５は、上枠５ａ、下枠５ｃ、右縦枠５ｂ及び左縦枠５ｄからなる。室外側窓枠７は、上枠７ａ、下枠７ｃ、右縦枠７ｂ及び左縦枠７ｄとからなる。室内側窓枠５と室外側窓枠７との間には、枠全周にわたって樹脂注入方式により設けられた断熱材８が介在されている。
【００２１】
障子３は、外障子１０と、内障子１１とからなり、窓枠２内に収納できるように矩形に形成されている。障子３は、図示省略のハンドルと、ギアケースおよび複数のロッドからなる開閉機構により、室外側に開閉できるように構成されており、室内側のハンドルを回すことによって、障子３をスムーズに開閉させることが可能である。また、障子３の開閉操作は、手動で行なうようにしてもよい。
【００２２】
外障子１０は、例えばアルミ製の上框１０ａ、下框１０ｃ、右縦框１０ｂ及び左縦框１０ｄと、各框で形成される開口を閉塞する第１ガラス１２とからなる。各框１０ａ、１０ｂ、１０ｃ、１０ｄの内周面で且つ室外側の面から固定片１５が突設されている。
【００２３】
第１ガラス１２は、各框１０ａ、１０ｂ、１０ｃ、１０ｄの内周および固定片１５に、室内側から固定されている。第１ガラス１２と、各框１０ａ、１０ｂ、１０ｃ、１０ｄの内周面および固定片１５は、接着性を有する一次シール材１３で接着されるとともに、第１ガラス１２と固定片１５とは、止水性および膨張吸収性を有する二次シール材１４が介在されている。
【００２４】
外障子１０と室外側窓枠７との間には、リンク機構からなる上下一対のすべり出し丁番６、６が取り付けられている。このすべり出し丁番６は、複数のリンクをピン連結したリンク機構からなりすべり出し窓用に一般に用いられているものである。すべり出し丁番６は、図１および図４に示すように、室外側窓枠７の上枠７ａ、下枠７ｃ側にそれぞれ取り付けられる取り付け部材２０と、外障子１０の上框１０ａ、下框１０ｃ側にそれぞれ取り付けられるプレート２１と、取り付け部材２０に沿って摺動し且つプレート２１の一端に連結されたスライダー２２と、取り付け部材２０とプレート２１との間に設けられて外障子１０の最大揺動角度を規制するアーム２３とで構成されている。
【００２５】
なお、図４は、室外側窓枠７の下枠７ｃと、外障子１０の下框１０ｃとを連結するすべり出し丁番６を示す。すべり出し丁番６、６は上下勝手違いのものが使用されている。
【００２６】
外障子１０の各框１０ａ、１０ｂ、１０ｃ、１０ｄの外周には、フランジ片１６が突設され、このフランジ片１６には断面Ｃ字状の取付部１７が設けられ、取付部１７に気密材１８が室内向きに固定されている。気密材１８は、外障子１０を閉じた際に、室外側窓枠７の各枠７ａ、７ｂ、７ｃ、７ｄに室外側から密着される。
【００２７】
内障子１１は、例えばアルミ製の上框１１ａ、下框１１ｃ、右縦框１１ｂ及び左縦框１１ｄと、各框１１ａ、１１ｂ、１１ｃ、１１ｄで形成される開口を閉塞する第２ガラス２５とからなる。上框１１ａ、下框１１ｃ、右縦框１１ｂ及び左縦框１１ｄは、矩形に形成されており、外障子１０の框１０ａ、１０ｂ、１０ｃ、１０ｄの内周面で形成される開口に、室内側から収納されるようになっている。すなわち、上框１１ａ、下框１１ｃ、右縦框１１ｂ及び左縦框１１ｄは、外障子１０の上框１０ａ、下框１０ｃ、右縦框１０ｂ及び左縦框１０ｄにそれぞれ重なり合い、障子全体の見込み寸法が大きくならないようになっている。
【００２８】
各框１１ａ、１１ｂ、１１ｃ、１１ｄの内周面で且つ室内側の面から固定片１９が突設されている。なお、この固定片１９は、前記外障子１０側の固定片１５と所定の間隔有して対向している。
【００２９】
第２ガラス２５は、各框１１ａ、１１ｂ、１１ｃ、１１ｄの内周面および固定片１９に、室外側から固定されている。第２ガラス２５と、各框１１ａ、１１ｂ、１１ｃ、１１ｄの内周面および固定片１９は、接着性を有する一次シール材２６で接着されるとともに、第２ガラス２５と固定片１９とは、止水性および膨張吸収性を有する二次シール材２７が介在されている。
【００３０】
内障子１１と外障子１０との間にも、内障子１１が外障子１０に対して開閉自在となるように、すべり出し丁番６Ａ、６Ａが設けられている。図１、図５および図６に示すように、すべり出し丁番６Ａの取り付け部材２０は、外障子１０の上框１０ａ、下框１０ｃ側に取り付けられ、ステー２１は、内障子１１の上框１１ａ、下框１１ｃ側に取り付けられている。なお、前記すべり出し丁番６と同一部材は、同一符号を付して説明は省略する。
【００３１】
内障子１１は、図２に示すように、各框１１ａ、１１ｂ、１１ｃ、１１ｄが、外障子１０の框１０ａ、１０ｂ、１０ｃ、１０ｄ内に収納される収納位置と、図１に示すように、外障子１０の戸先側から吊り元側に所定距離移動し、外障子１０に対して略９０°回動する開放位置とに、位置変更自在になっている。
【００３２】
内障子１１の各框１１ａ、１１ｂ、１１ｃ、１１ｄの室外側には、断面Ｃ字状の取付部３２が設けられ、この取付部３２には気密材３３が固定されている。また、外障子１０の各框１０ａ、１０ｂ、１０ｃ、１０ｄには、気密材３３と対応するフランジ片３４が突設されている。内障子１１を閉じた際には、気密材３３はフランジ片３４に密着されており、外障子１０の各框１０ａ、１０ｂ、１０ｃ、１０ｄと、内障子１１の各框１１ａ、１１ｂ、１１ｃ、１１ｄとが直接に接触するのが防止されている。
【００３３】
外障子１０の第１ガラス１２と、内障子１１の第２ガラス２５との間には、両方のガラス１２、２５間に断熱のための空気層２９を確保するとともに、第１ガラス１２側に作用する外圧力を第２ガラス２５側に伝達する合成樹脂製等のスペーサ３０が介在されている。スペーサ３０は内障子１１の第２ガラス２５側に固定されている。内障子１１を閉じた際には、スペーサ３０の先端面が、第１ガラス１２の空気層側の面１２ａに当接し、内障子１１の収納位置を維持するようになっている。
【００３４】
室内側窓枠５の各枠５ａ、５ｂ、５ｃ、５ｄの内側には、フランジ片３５が設けられ、このフランジ片３５には、室内側窓枠５の開口を縁取る気密材３６が、室外側に向けて取り付けられている。また、内障子１１の各框１１ａ、１１ｂ、１１ｃ、１１ｄの室内側外周には、前記気密材３６が密着されるフランジ片３７が突設されている。
【００３５】
前記のように、外障子１０の各框１０ａ、１０ｂ、１０ｃ、１０ｄ内に、内障子１１の各框１１ａ、１１ｂ、１１ｃ、１１ｄを収納し、内障子１１のフランジ片３７で室内側窓枠５の気密材３６を受けて支持する構成であるため、外障子１０および内障子１１が一体的に外側に開く構成となる。また、内障子１１のフランジ片３７は気密材３６に密着することから、フランジ片３７の外径は室内側窓枠５の開口よりも大きくなり、内障子１１の各框の枠径を大きくできる。そのため、障子３の見付け寸法（障子３の外周面からガラスまでの寸法）Ｌを小さくでき、その分だけガラスの採光面積を大きくできるようになっている。また、障子３は室外側に開くことより、室内側窓枠５の開口よりも大きく設計することができる。
【００３６】
しかも、障子３は、外障子１０と内障子１１とが一体的に室外側に開き、しかも、室外向き状態にある外障子１０から内障子１１を開く構成であるため、窓枠２に設けた開閉機構のハンドルやギアケース等が支障となることはなく内障子１１を開閉できる。
【００３７】
次に、前記構成からなる縦すべり出し窓１を使用する場合について説明する。
【００３８】
先ず、障子３を閉じた状態（このとき、内障子１１も閉じている。）において、気密材１８、３３、３６の機能により、室内外が十分にシールされるとともに、外障子１０の第１ガラス１２と、内障子１１の第２ガラス２５との間に設けられた空気層２９は、断熱機能を奏するとともに、外部騒音の室内への伝播を軽減する機能も備える。しかも、外障子１０の各框１０ａ、１０ｂ、１０ｃ、１０ｄと、内障子１１の各框１１ａ、１１ｂ、１１ｃ、１１ｄとの間には、気密材３３が介在されているため、外障子１０の各框と、内障子１１の各框との間が断熱され、外気温度が外障子１０から内障子１１に伝わるのが防止される。
【００３９】
また、外障子１０の第１ガラス１２は、各框１０ａ、１０ｂ、１０ｃ、１０ｄに室内側から接着（片面接着）されているだけであるが、両方のガラス１２、２５間にはスペーサ３０が介在され、第２ガラス２５を室内側から支持する内障子１１の各框１０ａ、１０ｂ、１０ｃ、１０ｄは、フランジ片３７を介して室内側窓枠５の気密材３６に室外側から当接している。
【００４０】
従って、室外側から強風等による外圧が第１ガラス１２に作用しても、その外圧力は、第１ガラス１２、スペーサ３０、第２ガラス２５、内障子１１の各框１０ａ、１０ｂ、１０ｃ、１０ｄに順次伝わり、その外圧力は、最終的には室内側窓枠５で受け止めることとなる。このため、仮に第１ガラス１２の接着強度が低下した場合であっても、外障子１０および内障子１１の各框を大きくして強度を増さなくても、外圧に十分耐え得る。
【００４１】
障子３を室外側に向けて開放すると、障子３は、すべり出し丁番６の機能により、窓枠２から離間しつつ室外側に略９０°回動せることができる（図４参照）。通常の窓開閉では、内外障子１０、１１が一体となって開閉される。
【００４２】
さらに、外障子１０の第１ガラス１２と内障子１１の第２ガラス２５の空気層側の面１２ａ、２５ａに、内部結露が発生した場合や埃等が付着した場合等には、障子３を開放した姿勢において、収納位置にある内障子１１を手前（外障子１０の吊り元側）の戸先側から開放する（図５参照）。内障子１１は、すべり出し丁番６Ａの機能により、所定の距離だけ窓枠２側に接近しながら解放位置まで室外側に回動する。
【００４３】
内障子１１は、外障子１０に対して略直角となるとともに、窓枠２と略平行となり、第２ガラス２５の空気層側の面２５ａが、室内側を向いた状態となる（図６参照）。また、このとき、外障子１０の第１ガラス１２の空気層側の面１２ａも開放される。従って、室内側から、接近した第２ガラス２５の空気層側の面２５ａや、外障子１０の第１ガラス１２の空気層側の面１２ａを清掃することができる。なお、第２ガラス２５の空気層側の面２５ａが、室内側を向いた状態となるとは、空気層側の面２５ａが室内方向に対して傾斜した状態であってもよい。
【００４４】
また、内障子１１を閉じた際には、外障子１０の框内に内障子１１の框を収納することができるため、障子全体の見込み寸法を、従来品と同じ大きさに設定することができ、既築のサッシ窓リフォーム等において、窓枠をそのまま利用し、障子のみを交換することで、本実施の形態で示した開閉二重窓に変更することができる。このため、断熱性の向上を図れるとともに、窓枠の交換が不要となることから、工事費の低減も図れる。
【００４５】
図７および図８は、本発明の第２実施の形態を示す。なお、第１実施の形態と同一部材は、同一符号を付してそれぞれの部材の説明は省略し、相違する構成について説明する。
【００４６】
本第２実施の形態の縦すべり出し窓１は、外障子１０の各框１０ａ、１０ｂ、１０ｃ、１０ｄが、室内側窓枠５の気密材３６に密着している。また、内障子１１のフランジ片３７は、室内側窓枠５の開口よりも小さくなっている。このように、内障子１１のフランジ片３７を室内側窓枠５の開口よりも小さくすることにより、フランジ片３７は、室内側窓枠５の開口内を室内側に移動可能となり、障子３を閉じた状態において、内障子１１を、図８に仮想線で示すように、開放位置まで室内側に開放することができる。
【００４７】
そして、室内側から、第２ガラス２５の空気層側の面２５ａや、外障子１０の第１ガラス１２の空気層側の面１２ａを清掃することができる。
【００４８】
なお、本第２実施の形態の縦すべり出し窓１においても、障子３を室外側に開放した状態で、内障子１１を開放できるのは、本第１実施の形態の縦すべり出し窓１と同様である。
【００４９】
本発明は、前記実施の形態に限定されるものではない。例えば、両方のガラス１２、２５間にブラインドまたはスクリーン等を組み込み、ブラインドまたはスクリーン内蔵サッシにすることも可能である。このとき、ブラインド等がスペーサの機能も備える。
【００５０】
また、縦すべり出し窓１を例示したが、横すべり出し窓も可能である。しかも、開閉二重窓は、すべり出し窓に限定されるもではなく、通常の丁番で障子を開閉することも可能である。また、内障子１１の開閉構造も、通常の丁番で行なってもよい。
【図面の簡単な説明】
【００５１】
【図１】本発明の第１実施の形態における縦すべり出し窓の概略構成を示す斜視図である。
【図２】同縦すべり出し窓の閉塞状態を示す縦断面図である。
【図３】図２のＣ−Ｃ線断面図である。
【図４】本実施の形態における縦すべり出し窓の障子を開放した概略構成を示す断面平面図である。
【図５】同障子を開放した状態で内障子を開放する途中の状態を示す断面平面図である。
【図６】同障子を開放した状態で内障子を開放した状態を示す断面平面図である。
【図７】本発明の第２実施の形態におけるすべり出し窓の閉塞状態を示す縦断面図である。
【図８】図７のＤ−Ｄ線断面図である。
【符号の説明】
【００５２】
１    開閉二重窓
２    窓枠
３    障子
１０  外障子
１１  内障子
１２  第１ガラス
１２ａ  空気層側の面
２５  第２ガラス
２５ａ  空気層側の面
２９    空気層
【図１】
2008057222.tif 000003
【図２】
2008057222.tif 000004
【図３】
2008057222.tif 000005
【図４】
2008057222.tif 000006
【図５】
2008057222.tif 000007
【図６】
2008057222.tif 000008
【図７】
2008057222.tif 000009
【図８】
2008057222.tif 000010